(57)【要約】【課題】防塵ネットの外側面の広範囲に付着している塵埃を吹き飛ばせるものとし、エンジンのオーバーヒートを防止してコンバインの作業能率を高める。【解決手段】冷却風路の始端部に設けた防塵ネット（１６）の外側面に除塵装置（２１）を対向させて設け、除塵装置（２１）を横断流ファン（２２）と該横断流ファン（２２）を被覆するファンケース（２３）とで構成し、横断流ファン（２２）をファン軸（２２ａ）と、ファン軸（２２ａ）の両側に取り付けたファン側板（２２ｂ，２２ｂ）と、ファン側板（２２ｂ，２２ｂ）の外周部に放射体方向に沿うように取り付けた羽根板（２２ｃ，…）とで構成し、ファンケース（２３）には外気を吸入する吸入口（２３ａ）と防塵ネット（１６）の外側面に沿うように除塵風を吹き出す吹き出し間隙（２３ｂ）を形成する。【選択図】図４
2012116230.tif 000002
【特許請求の範囲】
【請求項１】
操縦部（４）と、脱穀部（６）と、グレンタンク（５）と、刈取搬送部（８）と、これらを駆動するエンジン（Ｅ）とを備えたコンバインにおいて、前記エンジン（Ｅ）に冷却風を供給する冷却風路の始端部に防塵ネット（１６）を配置し、前記エンジン（Ｅ）に対して冷却風路上手側の部位に冷却ファン（１２）を配置し、該冷却ファン（１２）と防塵ネット（１６）との間にラジエータ（１３）を配置し、前記防塵ネット（１６）の外側面には除塵装置（２１）を対向させて設け、該除塵装置（２１）を横断流ファン（２２）と該横断流ファン（２２）を被覆するファンケース（２３）とで構成し、該横断流ファン（２２）をファン軸（２２ａ）と、該ファン軸（２２ａ）の両側に取り付けたファン側板（２２ｂ，２２ｂ）と、該ファン側板（２２ｂ，２２ｂ）の外周部に放射方向に沿うように取り付けた羽根板（２２ｃ，…）とで構成し、該ファンケース（２３）には外気を吸入する吸入口（２３ａ）と前記防塵ネット（１６）の外側面に沿うように除塵風を吹き出す吹き出し間隙（２３ｂ）を形成したことを特徴とするコンバイン。
【請求項２】
前記ラジエータ（１３）及び防塵ネット（１６）を冷却風の流れる方向から視て矩形に形成し、前記除塵装置（２１）を防塵ネット（１６）の外側面に対向させて設けるにあたり、該除塵装置（２１）を防塵ネット（１６）の上下一側端部もしくは左右一側端部のいずれかに配置し、前記ファンケース（２３）の吸入口（２３ａ）から吸入した外気を吹き出し間隙（２３ｂ）から防塵ネット（１６）の外側面に沿わせて吹き出す構成としたことを特徴とする請求項１記載のコンバイン。
【請求項３】
前記ラジエータ（１３）及び防塵ネット（１６）を冷却風の流れる方向から視て矩形に形成し、前記除塵装置（２１）を防塵ネット（１６）の外側面に対向させて設けるにあたり、該除塵装置（２１）を防塵ネット（１６）の上下方向中間部に横向き姿勢で、もしくは左右方向中間部に縦向き姿勢で配置し、前記ファンケース（２３）の吸入口（２３ａ）から吸入した外気を該ファンケース（２３）の両側に備えた吹き出し間隙（２３ｂ，２３ｃ）から防塵ネット（１６）の外側面に沿わせて吹き出す構成としたことを特徴とする請求項１記載のコンバイン。
【請求項４】
前記ラジエータ（１３）及び防塵ネット（１６）を冷却風の流れる方向から視て矩形に形成し、前記除塵装置（２１）を防塵ネット（１６）の外側面に対向させて設けるにあたり、該除塵装置（２１）を左右方向に傾斜させて配置し、前記ファンケース（２３）の吸入口（２３ａ）から吸入した外気を該ファンケース（２３）の両側に備えた吹き出し間隙（２３ｂ，２３ｃ）から防塵ネット（１６）の外側面に沿わせて吹き出す構成としたことを特徴とする請求項１記載のコンバイン。
【発明の詳細な説明】
【技術分野】
【０００１】
この発明は、コンバインに関するものである。
【背景技術】
【０００２】
コンバインにおけるラジエータの防塵網除塵装置において、防塵網を通過する吸入風を部分的に遮蔽する吸入風遮蔽板を防塵網の内側面に接近させて設け、吸入風遮蔽板を防塵網の内側面に沿って直線状に往復移動させる駆動装置を設け、防塵網の外側面上の塵埃を吸引する塵埃吸引口を吸入遮蔽板の往復移動経路の端部に設け、塵埃吸引口から冷却ファンに至る副吸引風路を除塵網からラジエータを通過して冷却ファンに至る主吸引路から分離して設けたものは、公知である（特許文献１）。
【先行技術文献】
【特許文献】
【０００３】
【特許文献１】特開２０１０−１９５３６８号公報
【発明の概要】
【発明が解決しようとする課題】
【０００４】
前記特許文献の技術は、ラジエータカバーの網部に沿って遮風プレートを直線状に往復移動させ、網部における冷却ファンの吸引風の影響を弱め、遮風プレートと網面との間に風を送り、網面の外側に付着した藁屑類や塵埃を吹き飛ばすものである。従って、塵埃除去風力が弱く、また、遮風プレートの面積が狭いために、吹き飛ばした塵埃が冷却ファンの吸引風により再び網面に引き付けられて付着することがあり、除塵効果が上がらないためにエンジンのオーバーヒートを効果的に防止できず、コンバインの作業能率が低下する問題があった。
【０００５】
そこで、本発明はこのような問題点を解決しようとするものである。
【課題を解決するための手段】
【０００６】
この発明は、このような課題を解決するために、次の技術的手段を講じた。
請求項１記載の発明は、操縦部（４）と、脱穀部（６）と、グレンタンク（５）と、刈取搬送部（８）と、これらを駆動するエンジン（Ｅ）とを備えたコンバインにおいて、前記エンジン（Ｅ）に冷却風を供給する冷却風路の始端部に防塵ネット（１６）を配置し、前記エンジン（Ｅ）に対して冷却風路上手側の部位に冷却ファン（１２）を配置し、該冷却ファン（１２）と防塵ネット（１６）との間にラジエータ（１３）を配置し、前記防塵ネット（１６）の外側面には除塵装置（２１）を対向させて設け、該除塵装置（２１）を横断流ファン（２２）と該横断流ファン（２２）を被覆するファンケース（２３）とで構成し、該横断流ファン（２２）をファン軸（２２ａ）と、該ファン軸（２２ａ）の両側に取り付けたファン側板（２２ｂ，２２ｂ）と、該ファン側板（２２ｂ，２２ｂ）の外周部に放射方向に沿うように取り付けた羽根板（２２ｃ，…）とで構成し、該ファンケース（２３）には外気を吸入する吸入口（２３ａ）と前記防塵ネット（１６）の外側面に沿うように除塵風を吹き出す吹き出し間隙（２３ｂ）を形成したことを特徴とするコンバインとする。
【０００７】
請求項２記載の発明は、前記ラジエータ（１３）及び防塵ネット（１６）を冷却風の流れる方向から視て矩形に形成し、前記除塵装置（２１）を防塵ネット（１６）の外側面に対向させて設けるにあたり、該除塵装置（２１）を防塵ネット（１６）の上下一側端部もしくは左右一側端部のいずれかに配置し、前記ファンケース（２３）の吸入口（２３ａ）から吸入した外気を吹き出し間隙（２３ｂ）から防塵ネット（１６）の外側面に沿わせて吹き出す構成としたことを特徴とする請求項１記載のコンバインとする。
【０００８】
請求項３記載の発明は、前記ラジエータ（１３）及び防塵ネット（１６）を冷却風の流れる方向から視て矩形に形成し、前記除塵装置（２１）を防塵ネット（１６）の外側面に対向させて設けるにあたり、該除塵装置（２１）を防塵ネット（１６）の上下方向中間部に横向き姿勢で、もしくは左右方向中間部に縦向き姿勢で配置し、前記ファンケース（２３）の吸入口（２３ａ）から吸入した外気を該ファンケース（２３）の両側に備えた吹き出し間隙（２３ｂ，２３ｃ）から防塵ネット（１６）の外側面に沿わせて吹き出す構成としたことを特徴とする請求項１記載のコンバインとする。
【０００９】
請求項４記載の発明は、前記ラジエータ（１３）及び防塵ネット（１６）を冷却風の流れる方向から視て矩形に形成し、前記除塵装置（２１）を防塵ネット（１６）の外側面に対向させて設けるにあたり、該除塵装置（２１）を左右方向に傾斜させて配置し、前記ファンケース（２３）の吸入口（２３ａ）から吸入した外気を該ファンケース（２３）の両側に備えた吹き出し間隙（２３ｂ，２３ｃ）から防塵ネット（１６）の外側面に沿わせて吹き出す構成としたことを特徴とする請求項１記載のコンバインとする。
【発明の効果】
【００１０】
請求項１記載の発明によると、横断流ファン（２２）が回転すると、ファンケース（２３）の吸入口（２３ａ）から外気が吸入され、横断流ファン（２２）で発生した薄い層をなす風がファンケース（２３）の吹き出し間隙（２３ｂ）から防塵ネット（１６）の外側面に沿うように吹出し、防塵ネット（１６）の外側面の広範囲に付着している塵埃を吹き飛ばすことができるので、エンジン（Ｅ）のオーバーヒートを防止してコンバインの作業能率を高めることができる。
【００１１】
請求項２記載の発明によると、防塵ネット（１６）の上下一側端部もしくは左右一側端部のいずれかに沿わせて除塵装置（２１）が配置されるので、ファンケース（２３）の吸入口（２３ａ）から吸入した外気を吹き出し間隙（２３ｂ）から防塵ネット（１６）の外側面に沿わせて吹き出し、防塵ネット（１６）の外側面の広範囲に付着している塵埃を吹き飛ばすことができるので、エンジン（Ｅ）のオーバーヒートを防止してコンバインの作業能率を高めることができる。
【００１２】
請求項３記載の発明によると、防塵ネット（１６）の上下方向中間部に横向き姿勢で、もしくは左右方向中間部に縦向き姿勢で除塵装置（２１）を配置しているので、ファンケース（２３）の吸入口（２３ａ）から吸入した外気を吹き出し間隙（２３ｂ，２３ｃ）から防塵ネット（１６）の外側面に沿わせて両側に向けて吹き出し、防塵ネット（１６）の外側面の広範囲に付着している塵埃を吹き飛ばすことができるので、エンジン（Ｅ）のオーバーヒートを防止してコンバインの作業能率を高めることができる。
【００１３】
請求項４記載の発明によると、冷却風の流れ方向から見て防塵ネット（１６）の中間部に右上り傾斜状、あるいは、右下がり傾斜状のいずれかに長手構成の除塵装置（２１）を配設しているので、ファンケース（２３）の吸入口（２３ａ）から流入した空気を除塵風として吹き出し間隙（２３ｂ，２３ｃ）から防塵ネット（１６）の外側面に沿うように両側に向けて吹き出し、防塵ネット（１６）の外側面の広範囲に付着している塵埃を吹き飛ばすことができるので、エンジン（Ｅ）のオーバーヒートを防止してコンバインの作業能率を高めることができる。
【図面の簡単な説明】
【００１４】
【図１】コンバインの側面図である。
【図２】コンバインの平面図である。
【図３】エンジン冷却構成の平面図である。
【図４】除塵装置の斜視図である。
【図５】除塵装置の側面図、平面図である。
【図６】除塵装置の斜視図である。
【図７】除塵装置の切断平面図である。
【図８】除塵装置の斜視図である。
【図９】除塵装置の側面図である。
【図１０】ラジエータ、冷却ファンの斜視図である。
【発明を実施するための形態】
【００１５】
以下、図面に示すこの発明の実施例について説明する。まず、図１及び図２に基づき本発明を備えたコンバインの全体構成について説明する。
コンバイン１の走行車体２の下方には、左右一対のクローラ走行装置３，３を配設し、走行車体２の右前側部に操縦部４を、その後方にグレンタンク５を配設し、左側部に脱穀部６を配設し、脱穀部６及びグレンタンク５の後方に排稾処理装置７を配設している。操縦部４及び脱穀部６の前方には、植立穀稈を分草引起しながら刈り取り後方の脱穀部６に向けて搬送する刈取搬送部８を昇降自在に設けている。
【００１６】
次に、図３乃至図５に基づきエンジンＥ、ラジエータ１３の冷却及び除塵構成ついて説明する。
操縦部４の運転席１０の下方部にエンジンルーム１１を設け、エンジンＥを配設している。エンジンＥの進行方向右外側に冷却ファン１２を軸架し、冷却ファン１２の右外側にラジエータ１３を配設し、ラジエータ１３の上方にオイルクーラ及びインタクーラを配設している。
【００１７】
そして、ラジエータカバー１４は、エンジンルーム１１の外側枠体に着脱自在に取り付け、その内側部でラジエータ１３を覆い、ラジエータカバー１４の外側に枠体１５を取り付け、枠体１５に防塵ネット１６を張設している。しかして、冷却ファン１２を回転すると、冷却風が防塵ネット１６を通過し除塵された後にラジエータ１３に流れ、ラジエータ１３を冷却する。
【００１８】
枠体１５の防塵ネット１６には冷却ファン１２とは別に除塵装置２１を設けている。この除塵装置２１は横断流ファン２２とファンケース２３とで構成している。この横断流ファン２２はファン軸２２ａと、ファン軸２２ａの両側に取り付けたファン側板２２ｂ，２２ｂと、ファン側板２２ｂ，２２ｂの外周部に放射方向に沿った羽根板２２ｃ，…とで構成している。
【００１９】
このように構成した横断流ファン２２を図４及び図５に示すように防塵ネット１６の外側面における上下方向中間部に前後方向（図４の左右方向）に沿うように配設し、その外側をファンケース２３で被覆している。そして、ファンケース２３の上下方向中間部と防塵ネット１６との間に吸入口２３ａをケースの前後方向全幅にわたって構成し、ファンケース２３の上側部と防塵ネット１６との間に全幅にわたって内側吹き出し間隙２３ｂを構成している。また、ファンケース２３の下側部と防塵ネット１６との間に全幅にわたって外側吹き出し間隙２３ｃを構成している。
【００２０】
前記構成によると、横断流ファン２２が回転すると、ファンケース２３の内側の吸入口２３ａから空気が流入し、横断流ファン２２で発生した薄い板状の風がファンケース２３の上側の内側吹き出し間隙２３ｂから上側防塵ネット１６ａの外側面に沿うように吹出し、上側防塵ネット１６ａの外側面に付着している塵埃を吹き飛ばし除塵する。
【００２１】
また、ファンケース２３の下側の外側吹き出し間隙２３ｃから同様に風が下側に向けて吹出し、下側防塵ネット１６ｂの外側面に付着している塵埃を吹き飛ばし、広範囲の除塵を除去することができる。
【００２２】
また、枠体１５の防塵ネット１６に除塵装置２１を対向配置するにあたり、前記のように防塵ネット１６の上下方向中央部に前後方向に沿わせて配置したり、また、防塵ネット１６の上側端部に前後方向に沿わせて配置してもよい。また、防塵ネット１６の前後方向中央部に除塵装置２１を上下方向に沿わせて配置してもよく、また、防塵ネット１６の前側端部に除塵装置２１を上下方向に沿わせて配置してもよい。
【００２３】
また、図４に示すように、ファンケース２３を前後方向に沿わせて配置した場合には、その後側端部を閉鎖し、前端部を開口し、ファンケース２３の後側部での横断流ファン２２の送風力を高め、後側部での除塵効果を高めるようにしている。
【００２４】
また、図５に示すように横断流ファン２２の羽根板２２ｃ，…が時計方向に回転し羽根板２２ｃ，…の後側部が上側に回転している場合には、羽根板２２ｃ，…の内側を上側へ回転する部位に内側の吹き出し間隙２３ｂを対向し、内側吹き出し間隙２３ｂを上側防塵ネット１６ａの外側面下端部に沿わせて対向配置している。また、羽根板２２ｃ，…の外側の下方へ回転する部位に外側の吹き出し間隙２３ｃを対向し、下側防塵ネット１６ｂの外側面上端部に沿わせて外側吹き出し間隙２３ｃを対向配置し、上側防塵ネット１６ａと下側防塵ネット１６ｂとを内外方向に偏位した段違い状に配設している。
【００２５】
また、防塵ネット１６の外側面に横断流ファン２２及びファンケース２３を対向配置するにあたり、図５に示すように、横断流ファン２２の羽根板２２ｃ，…が反時計方向に回転する場合には、ファンケース２３の内側寄りに吸入口２３ａを設け、ファンケース２３の内側寄りの上方に向けて開口している内側の吹き出し間隙２３ｂには羽根板２２ｃ，…の内側で上方回転部分が対向し、内側の吹き出し間隙２３ｂの内側寄りに上側防塵ネット１６ａの外側面が対向し、風が外側面に沿うように上方へ流れるようにしている。
【００２６】
また、ファンケース２３の外側寄りの下方に向けて開口している外側の吹き出し間隙２３ｃには羽根板２２ｃ，…の外側で下方回転部分が対向し、外側の吹き出し間隙２３ｃの内側寄りに下側防塵ネット１６ｂの外側面が対向し、風が外側面に沿って下方へ流れるようにしている。
【００２７】
前記構成によると、横断流ファン２２の除塵風を内側の吹き出し間隙２３ｂ、外側の吹き出し間隙２３ｃから上側防塵ネット１６ａ、下側防塵ネット１６ｂの外側面に沿わせて平行状に送ることができ、上側下側の防塵ネット１６ａ，１６ｂの広範囲にわたり除塵し、除塵効果を高めることができる。
【００２８】
また、防塵ネット１６に対して除塵装置２１を前下がり傾斜に配置したり、また、前上り傾斜状に配置してもよい。
また、枠体１５の前側部内側で、且つ、冷却風の流れ方向から見てラジエータ１３よりも周辺部位にモータ２４を配設し、モータ２４から伝動装置２５を介してた横断流ファン２２に動力を伝達し駆動するようにしている。なお、モータ２４及び伝動装置２５を枠体１５の後側部内側に同様にして配置してもよい。しかして、ラジエータ１３における冷却風の通過する部位にモータ２４及び伝動装置２５がないので、冷却風がラジエータ１３に円滑に流れ、冷却効果を高めることができる。
【００２９】
次に、図６及び図７に基づき他の実施例について説明する。
枠体１５の上側部前側を前下がり傾斜部１５ａに構成して低くし、操縦部４へのオペレータの乗降を容易にし、枠体１５には防塵ネット１６を張設している。枠体１５の前側部内側に前記横断流ファン２２を上下方向に沿わせて配設し、横断流ファン２２の外側を上下方向に長いファンケース２３で被覆している。また、枠体１５の前側部内側上部（あるいは下部）にモータ２４を配設し、モータ２４から伝動装置２４を経て横断流ファン２２に動力を伝達している。
【００３０】
そして、横断流ファン２２の外側をファンケース２３で被覆し、枠体１５の前枠体１５ｂと横断流ファン２２の前側部位の間に上下方向全体に沿った吸入口２３ａをケース全長にわたって設けている。また、ファンケース２３の後側部を防塵ネット１６の外側面前端部に対向し、防塵ネット１６の外側面との間に上下方向全長にわたって後側の吹き出し間隙２３ｄを構成し、防塵ネット１６の外側面に沿って前側から後側に除塵風が流れて除塵するようにしている。しかして、防塵ネット１６の外側面から吹き飛ばされた塵埃が後方に流れ、防塵ネット１６への再度の付着を抑制し除塵効果を高めることができる。
【００３１】
また、図６に示すように、ファンケース２３を上下方向に沿わせて配置した場合には、ファンケース２３の下側端部を閉鎖し、上側端部を開口し、ファンケース２３の下側端部での横断流ファン２２の送風力を高め、塵埃の多い防塵ネット１６下部の除塵効果を高めるようにしている。
【００３２】
また、冷却ファン１２の回転を停止した状態で、横断流ファン２２を駆動すると、防塵ネット１６の塵埃の吸着力を弱め、横断流ファン２２の除塵風を強くし、除塵効果を高めることができる。
【００３３】
なお、枠体１５に防塵ネット１６を張設するにあたり、図７（Ａ）に示すように、防塵ネット１６を前後方向に沿わせて配設し、防塵ネット１６の後側端部を枠体１５の平面視で内側に屈曲している屈曲部１５ｃに接続してもよい。また、図７（Ｂ）に示すように、防塵ネット１６の後側部を平面視で後側ほど外側になるように斜設して枠体１５の後側枠体１５ｄに接続してもよい。
【００３４】
また、横断流ファン２２を駆動するにあたり、内外方向に沿った冷却ファン軸１２ａの外側端部をラジエータ１３の空間部を通して外側まで延出し、横断流ファン２２の例えば前後方向に沿っているファン軸２２ａと冷却ファン軸１２ａとを直交状に配設し、冷却ファン軸１２ａからクラッチ付きの伝動装置（図示省略）を介して横断流ファン２２を駆動するように構成してもよい。
【００３５】
次に、図８乃至図１０に基づき他の実施例について説明する。
冷却ファン１２のファン軸１２ａを図１０（Ａ）に示すようにラジエータ１３の中央空間部１３ａから外側に延出し、ファン軸１２ａの先端に冷却ファン１２を着脱自在に取り付け、エンジンＥからクラッチを備えた伝動装置により動力を伝達し、冷却ファン１２を正転駆動あるいは逆転駆動するように構成している。そして、枠体１５に防塵ネット１６を張設するにあたり、平面状の上側防塵ネット１６ａと、平面状の下側防塵ネット１６ｂと、上下方向中間部の冷却ファン１２の外側部を被覆する膨出状の中間防塵ネット１６ｄとで構成している。
【００３６】
前記構成によると、冷却ファン１２を正回転し、防塵ネット１６の外側から内側に除塵した冷却風をラジエータ１３に送り、ラジエータ１３を冷却することができる。また、冷却ファン１２を逆回転すると、防塵ネット１６の内側から外側に除塵風を送り、防塵ネット１６の外側面に付着している塵埃を取り除くことができる。
【００３７】
また、枠体１５から防塵ネット１６の内側中央部近傍にブラケット（図示省略）を延出し、ブラケットに冷却ファン１２のボス部をベアリングを介して軸支し、冷却ファン１２を枠体１５側に回転自在に支架する。そして、防塵ネット１６の膨出状中間防塵ネット１６ｄを冷却ファン１２のボス部周辺に臨ませ固着し、冷却ファン１２と膨出状中間防塵ネット１６ｄが一体的に回転するように構成してもよい。このように構成すると、冷却ファン１２と膨出状中間防塵ネット１６ｄが共に回転し、膨出状中間防塵ネット１６ｄの周辺部から上側防塵ネット１６ａ及び下側防塵ネット１６ｂに除塵風が流れ、塵埃を除去することができる。
【００３８】
また、冷却ファン１２のファン軸１２ａをラジエータ１３から外側に延出するにあたり、図１０（Ｂ）に示すように、ラジエータ１３を左右ラジエータ１３ｂｂ，１３ｃに分割構成し、中央部に上下方向の開口部を形成し、ファン軸１２ａを貫通延出するようにしてもよい。また、図１０（Ｃ）に示すように、ラジエータ１３を上下ラジエータ１３ｄ，１３ｅに分割し、中央部に前後方向の開口部を形成し、ファン軸１２ａを貫通延出するようにしてもよい。
【００３９】
また、冷却ファン１２のファン軸１２ａに動力を伝達するにあたり、冷却風の流れ方向から見てラジエータ１３の周辺部側方にクラッチ付設の伝動装置を配設し、冷却ファン１２に動力を伝達すると、冷却風のラジエータ１３への流れを良好にし、冷却効果を高めることができる。
【符号の説明】
【００４０】
２      走行装置
３      クローラ走行装置
４      操縦部
５      脱穀部６
５      グレンタンク
８      刈取搬送部
１２      冷却ファン
１２ａ    冷却ファン軸
１３      ラジエータ
１６      防塵ネット
２１      除塵装置
２２      横断流ファン
２２ａ    ファン軸
２２ｂ    ファン側板
２２ｃ    羽根板
２３      ファンケース
２３ａ    吸入口
２３ｂ    吹き出し間隙
２３ｃ    吹き出し間隙
Ｅ    エンジン
【図１】
2012116230.tif 000003
【図２】
2012116230.tif 000004
【図３】
2012116230.tif 000005
【図４】
2012116230.tif 000006
【図５】
2012116230.tif 000007
【図６】
2012116230.tif 000008
【図７】
2012116230.tif 000009
【図８】
2012116230.tif 000010
【図９】
2012116230.tif 000011
【図１０】
2012116230.tif 000012